(57)【要約】      （修正有）【課題】ユーザがコンテンツを閲覧することで喚起される行動を実行可能なタイミングで、当該コンテンツを提供する。【解決手段】行動ラベル付与部１３０はコンテンツキーワードを抽出し、キーワードに対してラベルは複数付与される。行動ラベルが付与されたキーワードは行動別スコア算出部１４０において、行動ラベル毎にスコアを算出する。通知トリガ条件付与部１５０はキーワードの行動ラベルごとに通知トリガ条件が付与される。提示タイミング判定部１８０は行動別スコア算出部１４で算出されたスコアを用いて、通知トリガ条件格納部１６０に格納された条件に満たしているか否かをチェックする。キーワードの行動ラベル毎に，通知トリガを付与するために必要な条件が格納されている。通知トリガに満たす条件があれば、提示タイミング部１８０は提示コンテンツをコンテンツ格納部１１０から取得して、ディスプレイ１１に提示する。【選択図】図１
2010152679.tif 000002
【特許請求の範囲】
【請求項１】
ユーザに情報を提示する情報提示装置であって、  
コンテンツ情報を格納するコンテンツ格納部と、
ユーザスケジュールを格納するスケジュール格納部、
前記装置周囲とユーザの状況情報を取得する取得部と、
ユーザのスケジュール情報及び前記状況情報を用いて、ユーザの現在状況を推定する推定部と、
前記コンテンツに含まれるキーワードに対してユーザが取り得る行動の行動ラベルと前記行動が取られる頻度を格納する行動情報格納部と、      
前記キーワードに対して前記行動ラベルを付与する行動ラベル付与部と、
前記行動ラベルのスコアを行動オントロジに基づいて算出する算出部と、
ユーザに通知する条件である通知トリガ条件を格納する通知トリガ条件格納部と、
前記算出されたスコアを含む行動ラベルに前記通知トリガ条件を付与する通知トリガ条件付与部と、
前記推定したユーザの現在状況と前記通知トリガ条件から前記キーワードの元となる前記コンテンツ情報の提示タイミングを判定する提示タイミング判定部と、
提示タイミングに前記判定されたコンテンツ情報をユーザへ表示する表示部とを備えることを特徴とする情報提示装置。
【請求項２】
ユーザに情報を提示する情報提示装置であって、  
前記装置周囲の状況情報を取得する取得部と、
ユーザのスケジュール情報及び前記状況情報を用いて、ユーザの現在状況を推定する推定部と、
外部からユーザに提示するコンテンツ情報と前記コンテンツに含まれるキーワードに対してユーザが取り得る行動の行動ラベルに付与されたユーザに通知する条件である通知トリガ条件を送受信する送受信部と、
前記推定したユーザの現在状況と前記通知トリガ条件から前記キーワードの元となる前記コンテンツ情報の提示タイミングを判定する提示タイミング判定部と、
提示タイミングが判定された前記コンテンツ情報をユーザへ表示する表示部とを備えることを特徴とする情報提示装置。
【請求項３】
前記算出部において、前記コンテンツの属性に対する感性表現とその肯定、否定の度合いを階層グラフ構造で表現した感性表現オントロジを用いて、前記コンテンツ情報内での評判情報を前記行動ラベルのスコア計算に用いることを特徴とする請求項１に記載の情報提示装置。
【請求項４】
前記算出部において、前記コンテンツの時事的なポジティブ、ネガティブ情報を前記行動ラベルのスコア計算に用いることを特徴とする請求項１に記載の情報提示装置。
【請求項５】
ユーザにコンテンツ情報を提示する情報提示方法であって、
取得部が、前記装置周囲の状況情報を取得し、
スケジュール格納部が、ユーザスケジュールを格納し、
推定部が、ユーザのスケジュール情報及び前記状況情報を用いて、ユーザの現在状況を推定し、
行動情報格納部が、前記コンテンツに含まれるキーワードに対してユーザが取り得る行動の行動ラベルと前記行動が取られる頻度を格納し、      
行動ラベル付与部、前記キーワードに対して前記行動ラベルを付与し、
算出部が、前記行動ラベルのスコアを行動オントロジに基づいて算出し、
通知トリガ条件格納部が、ユーザに通知する条件である通知トリガ条件を格納し、
通知トリガ条件付与部が、前記算出されたスコアを含む前記行動ラベルに前記通知トリガ条件を付与し、
提示タイミング判定部が、前記推定したユーザの現在状況と前記通知トリガ条件から前記キーワードの元となる前記コンテンツ情報の提示タイミングを判定し、
表示部が、提示タイミングに前記判定されたコンテンツ情報をユーザへ表示するとを特徴とする情報提示方法。
【発明の詳細な説明】
【技術分野】
【０００１】
本発明は、利用者の置かれた状況情報を考慮した情報提示装置お及び情報提示方法に関する。
【背景技術】
【０００２】
ユーザのコンテンツ閲覧履歴などを利用し、個人の嗜好を考慮した推薦システムや、ユーザの現在の状況を用いて、その場で実行可能なコンテンツを推薦するシステムが存在し，これらを組み合わせたシステムもあった。
【０００３】
例えば、ユーザのプロフィールから抽出した嗜好情報および携帯端末から得られるアプリケーション実行中の情報や電波状況などを基に、複数のアプリケーションの内容毎にユーザへの利用を推奨する推奨度合いを求め、その推奨度合いに応じて各アプリケーションに優先順位を付けることで、個人の嗜好に適応した推薦システムが提案されている（例えば特許文献１参照）。このシステムにおいては，「ウェブ」アプリケーションに対して、「ホームページ閲覧」といった行動があらかじめ指定され、具体的なコンテンツ「ＸＸＸＸ」に対して「閲覧する」など、各アプリケーションにおけるコンテンツに対する行動毎の推奨度をそれぞれ求め、それらを比較することでユーザに提示される。
【０００４】
しかしながら、特許文献１で開示された技術では、嗜好に合ったコンテンツのカテゴリやジャンルにあらかじめ対応づけられた行動が推薦されるのみで、コンテンツを閲覧することでユーザが喚起される行動を考慮していない。そのため、当該行動を実行できない状況でもコンテンツが推薦されてしまう。
【特許文献１】特開２００６−３１３４８６公報
【発明の開示】
【発明が解決しようとする課題】
【０００５】
本発明の目的は、ユーザがコンテンツを閲覧することで喚起される行動を実行可能なタイミングで、当該コンテンツを提供することである。
【課題を解決するための手段】
【０００６】
第１の発明はユーザに情報を提示する情報提示装置であって、コンテンツ情報を格納するコンテンツ格納部と、ユーザスケジュールを格納するスケジュール格納部、  前記装置周囲とユーザの状況情報を取得する取得部と、ユーザのスケジュール情報及び前記状況情報を用いて、ユーザの現在状況を推定する推定部と、前記コンテンツに含まれるキーワードに対してユーザが取り得る行動の行動ラベルと前記行動が取られる頻度を格納する行動情報格納部と、前記キーワードに対して前記行動ラベルを付与する行動ラベル付与部と、前記行動ラベルのスコアを行動オントロジに基づいて算出する算出部と、ユーザに通知する条件である通知トリガ条件を格納する通知トリガ条件格納部と、前記算出されたスコアを含む行動ラベルに前記通知トリガ条件を付与する通知トリガ条件付与部と、前記推定したユーザの現在状況と前記通知トリガ条件から前記キーワードの元となる前記コンテンツ情報の提示タイミングを判定する提示タイミング判定部と、提示タイミングに前記判定されたコンテンツ情報をユーザへ表示する表示部とを備えることを特徴とする情報提示装置である。
【０００７】
また、第２の発明では、ユーザに情報を提示する情報提示装置であって、前記装置周囲の状況情報を取得する取得部と、ユーザのスケジュール情報及び前記状況情報を用いて、ユーザの現在状況を推定する推定部と、外部からユーザに提示するコンテンツ情報と前記コンテンツに含まれるキーワードに対してユーザが取り得る行動の行動ラベルに付与されたユーザに通知する条件である通知トリガ条件を送受信する送受信部と、前記推定したユーザの現在状況と前記通知トリガ条件から前記キーワードの元となる前記コンテンツ情報の提示タイミングを判定する提示タイミング判定部と、提示タイミングが判定された前記コンテンツ情報をユーザへ表示する表示部とを備えることを特徴とする情報提示装置である。
【０００８】
また、第３の発明では、前記算出部において、前記コンテンツの属性に対する感性表現とその肯定、否定の度合いを階層グラフ構造で表現した感性表現オントロジを用いて、前記コンテンツ情報内での評判情報を前記行動ラベルのスコア計算に用いることを特徴とする情報提示装置である。
【０００９】
また、第４の発明では、前記算出部において、前記コンテンツの時事的なポジティブ、ネガティブ情報を前記行動ラベルのスコア計算に用いることを特徴とする情報提示装置である。
【発明の効果】
【００１０】
本発明によれば、コンテンツに含まれるキーワードに対して，行動オントロジによって取りうる行動を推定し、それら行動ラベル毎にユーザに通知する状況の条件トリガとして付与して、端末からリアルタイムに得られるユーザの状況情報と通知トリガ条件から、通知するタイミングを判定することで、取りうる行動を実行可能なタイミングでユーザにコンテンツを提示することが可能になる。
【発明を実施するための最良の形態】
【００１１】
以下、本発明の実施の形態（以下「実施形態」という）について図面を参照しながら説明する。
【００１２】
［第1の実施形態］
図１は、本実施の形態に係る情報提示装置を示すブロック図である。情報提示装置１０（例えば、ノートパソコンなど）は、ディスプレイ１１、操作部１２、アンテナ１３、通信処理部１４、状況センサー１５、センサー処理部１６、コンテンツ格納部１１０を備える。
【００１３】
通信処理部１４はアンテナ１３と接続されており、外部との通信やインターネットへの接続を制御する。インターネットから取得された情報、たとえばネットワーク上のコンテンツ、はアンテナ１３から通信処理部１４を通してコンテンツ格納部１１０に転送して、格納する。
【００１４】
コンテンツ格納部１１０に格納されたコンテンツ（例えば、ウェブページなど）を行動ラベル付与部１３０に送信する。行動ラベル付与部１３０はコンテンツのキーワードを抽出し、行動オントロジ格納部１２０からキーワードに対応する行動ラベルを取得し、キーワードに対してラベルは複数付与される。行動オントロジ格納部１２０は例えばフラッシュメモリにより構成され、ユーザの行動を示す行動ラベルなどの行動オントロジの辞書情報を格納する。行動ラベルが付与されたキーワードは行動別スコア算出部１４０において、行動ラベル毎にスコアを算出する。スコア算出の詳細は後述する。
【００１５】
通知トリガ条件付与部１５０はキーワードの行動ラベルごとに通知トリガ条件が付与される。通知トリガ条件は通知トリガ条件格納部１６０に格納されている。通知トリガ条件の付与について後ほどに説明する。
【００１６】
提示タイミング判定部１８０は行動別スコア算出部１４０で算出されたスコアを用いて、通知トリガ条件格納部１６０に格納された通知トリガ条件を満たしているか否かをチェックする。通知トリガ条件格納部１６０は例えばフラッシュメモリにより構成され、キーワードの行動ラベル毎に，通知トリガを付与するために必要な条件（例えば、あるスコアの閾値に満たす。）が格納されている。通知トリガを満たす条件があれば、提示タイミング判定部１８０はコンテンツをコンテンツ格納部１１０から取得して、ディスプレイ１１に提示する。
【００１７】
状況センサー１５は、情報提示装置１０の置かれた状況または環境情報を検知し、得られたセンサーデータは、センサー処理部１６において処理され、状況認識を行う。状況センサー１５としては、たとえば、ＧＰＳ（Ｇｌｏｂａｌ  Ｐｏｓｉｔｉｏｎｉｎｇ  Ｓｙｓｔｅｍ：全世界無線測位システム）の受信部、無線ＬＡＮ（Ｌｏｃａｌ  Ａｒｅａ  Ｎｅｔｗｏｒｋ）による無線基地局ID検知及び無線受信強度検知部、加速度センサー、気圧センサー、温度センサー、照度センサーなどが考えられる。主に、ＧＰＳもしくは無線ＬＡＮ情報によりセンサー処理部１６により情報提示装置１０の状況情報（例えば、位置情報や天候情報など）を取得する。取得された情報は状況推定部１７０に転送する。状況推定部１７０は操作部１２に入力された操作やスケジュール格納部１９０に格納されたユーザのスケジュールなどを受けて、先に取得された情報と一緒に使って、ユーザの現在の状況を推定する。操作部１２には、たとえばキーボードのように文字及びコマンド入力が可能である。この場合、本実施例には、入力された情報はユーザのスケジュールにした。推定された情報は提示タイミング判定部１８０に送信する。
【００１８】
提示タイミング判定部１８０は状況推定部１７０から受け取ったと推定された装置の周囲の状況と通知トリガ条件付与部から受け取った通知トリガ条件情報に基づいて情報を提示するタイミングを判定する。情報を提示することは判定された際に、ディスプレイ１１に表示する。ディスプレイ１１はたとえば液晶画面表示器で構成された情報表示部であり、入力及び変換された文字列や情報の表示を行う。
【００１９】
図２は本実施形態の処理フローについて説明する。まず、アンテナ１３と通信処理部１４を経由してユーザに提示可能なコンテンツを取得してコンテンツ格納部１１０に格納する（ステップ２０１）。取得例は後で説明する。
【００２０】
次に、行動ラベル付与部１３０において、コンテンツからキーワードを抽出し、行動オントロジ格納部１２０からキーワードに対応する行動ラベルが取得され、キーワードに対してラベルが１つまたは複数付与される（ステップ２０２）。次に、行動別スコア算出部１４０において、キーワードに対する行動ラベル毎にスコアを算出する（ステップ２０３）。スコアは例えばキーワードと行動ラベルとの行動オントロジ上での結合の重みＷ、コンテンツ内でのキーワードの出現頻度Ｎや、ユーザの嗜好との適合度合いＰなどから算出される。詳しい数式は後に説明する。
【００２１】
次に、通知トリガ条件付与部１５０において、キーワードの行動ラベルごとに通知トリガ条件は付与される（ステップ２０４）。そして、状況情報推定部１７０は、センサー処理部１６により情報提示装置１０の状況情報を取得して、操作部１２に入力された操作やユーザのスケジュールと一緒に使って、ユーザの現在の状況を推定する（ステップ２０５）。提示タイミング判定部１８０は、推定された状況情報が付与された通知トリガ条件を満たしているか否かをチェックする（ステップ２０６）。このチェックでは、キーワードに対する行動ラベル毎の実行可能性を算出することで判定される（ステップ２０６）。通知トリガ条件を満たすコンテンツが存在しない場合には、再びユーザの現在の状況を推定する（ステップＳ２０６のＮ）。実行可能性があらかじめ指定した通知トリガ条件を満たすコンテンツがあれば（ステップＳ２０６のＹ）、該当するコンテンツを提示する（ステップ２０７）。該当するコンテンツは次の行動が実行可能であると判断され、コンテンツは提示部１１に表示される。
【００２２】
該当するコンテンツを提示した後に、他に提示可能なコンテンツがあるか否かをチェックする（ステップＳ２０８）。他のコンテンツがあれば、再びユーザの現在の状況を推定する（ステップＳ２０８のＹ）。他のコンテンツは無ければ、処理終了になる（Ｓ２０８のＮ）。
【００２３】
図３は、ユーザが閲覧したウェブページ、閲覧履歴３０１としてコンテンツ格納部１１０に格納され視聴した映像などの閲覧履歴を示す。この閲覧履歴はコンテンツとして得られる。例えば、ユーザがあるブロググルメ日記を見て、「クリスピードーナツ」と「バッドピザ」の記事を閲覧すると、このページ情報は閲覧履歴にコンテンツとして保存される。この閲覧履歴３０１はコンテンツ格納部１１０に格納されている。
【００２４】
次に、キ−ワードに対する行動ラベル付与について説明する。
【００２５】
図４は行動オントロジについて説明する。行動オントロジはキーワードとそれと共起する行動ラベルと行動ラベルの頻度からなる。
【００２６】
図４に示すように、「クリスピードーナツ」に対しては「食べる」、「土産に買う」と「見物する」という行動ラベル４０１が付与され、「イースター島」に対しては「旅行する」、「写真を見る」と「地図を見る」などのラベル４０２が付与される。キーワードと行動ラベルの間には結合の重みＷが設定されており、例えば行動オントロジ作成時にキーワードと行動ラベルが共起する頻度から算出される。この場合、「クリスピードーナツ」と共起する行動ラベル「食べる」「土産に買う」「見物する」に対して、その共起頻度に応じてそれぞれ結合重みWは５、３、２となる。「イースター島」の場合も同様に、共起頻度に応じて行動ラベル「旅行する」「写真を見る」「地図を見る」との結合重みWは７、２、１となる。
【００２７】
次に、行動ラベルに付与されたスコアの算出について説明する。
【００２８】
図５の５０１は図３に示されたコンテンツを用いて、スコアを算出する例である。スコアはキーワードＫと行動ラベルＬの行動オントロジ上での結合重みＷ、キーワードの出現頻度Ｎ、ユーザの嗜好スコアＰ、評判スコアＣ、時事性スコアＴを用いて例えば、Ｓ（Ｋ、Ｌ）＝Ｗ×（Ｎ＋Ｐ＋Ｃ＋Ｔ）によって算出される。ここで出現頻度Ｎはウェブページのテキスト部分や、映像に付与された番組メタデータ例えばＥｌｅｃｔｒｏｎｉｃ  Ｐｒｏｇｒａｍ  Ｇｕｉｄｅ（ＥＰＧ）や字幕情報（Ｃｌｏｓｅｄ  Ｃａｐｔｉｏｎ）などのテキスト部分から算出される。また嗜好スコアＰは例えばユーザの長期間の閲覧履歴全体から抽出したキーワードの出現頻度から、キーワードによる嗜好ベクトルを作成し、コンテンツに含まれるキーワードによるベクトルとの類似度によって算出される。評判スコアＣは例えば感性表現オントロジにおいてポジティブな表現の出現回数として算出される。時事性スコアＴは例えば時事的にポジティブ、ネガティブと判定されるキーワードの出現回数として算出される。
【００２９】
この例では、「クリスピードーナツ」「食べる」のスコアＳ（クリスピードーナツ、食べる）は５×（３＋２＋２＋１）＝４０である。「バッドピザ」「食べる」の場合、スコアＳ（バッドピザ、食べる）は８×（１＋１＋（−２）＋０）＝０である。
【００３０】
次に、通知トリガ条件を付与する処理について説明する。
【００３１】
図６は通知トリガ条件６０１と行動関連状況要素テーブル６０２を示している。通知トリガ条件６０１は、色々なキーワードと行動ラベルについての通知トリガ条件を格納されている。例えば、「クリスピードーナツ」「食べる」とスコア４０の場合、通知トリガ条件は距離４０＊Ｘメートル以内または予定の空き２時間以上またはティータイムである。あらかじめ用意された、行動ラベルに対して加味する要素を列挙した行動関連状況要素テーブル６０２を参照して、行動ラベルＬにおいて加味する要素群とスコアＳから通知トリガ条件を付与され、通知トリガ条件格納部１６０へと格納される。この例では、「食べる」という行動に加味する要素は「店への距離」、「次の予定」、「営業時間」、「所要時間」と「時間帯」になる。
【００３２】
図７には、リアルタイムな状況情報、例えば、日時、現在地、移動状況、予想目的地、次の予定などの状況７０１が取得される例である。状況情報を取得するタイミングについては、一定間隔での取得する、状況が変化したときに取得するなどの方法が考えられる。この状況情報を用いて、ユーザのスケジュールを参照して、ユーザの現在の情報を推定する。この例では、今の状況について、ＧＰＳから取得する位置情報から日時６／２９（日）１３：２５、現在地  新宿駅南口、移動状況  歩行中、予想目的地  新宿南口デパートを把握して、スケジュールから次の予定  １４：００  友人とビリヤード（新宿）などの情報を把握する。
【００３３】
次に、通知トリガ条件と推定されたユーザの現在の情報に基づいて提示タイミングを判定する例について説明する。
【００３４】
図８においては現在地の近くに店舗「クリスピードーナツ」があるが、次の予定まで時間が少ないため、「食べる」と「土産に買う」という行動は実行可能性が低くなる。しかし「見物する」という行動は所要時間が短いため実行可能性が高くなり、提示されることとなる。このようにすることで「見物する」だけで話題となるドーナツ店に関するコンテンツがタイミング良く提示されることとなる。
【００３５】
図９は通知トリガ条件に適合するコンテンツを提示する例を示している。
【００３６】
図９では、閲覧履歴３０１から取得したコンテンツ８０２に合わせて、コンテンツに対して実行可能な行動を推薦する情報８０１や、コンテンツに関連する詳細情報８０３などが提示される。詳細情報８０３はコンテンツ格納部１１０から取得する。例えば、コンテンツ８０２のクリスピードーナツのブログを見ている場合、それを合せて、８０１に「クリスピードーナツ―今なら「見物」できます」との情報が提示される。同時に、例えば施設情報のデータベースなどを参照することで、８０３に店舗情報、電話番号や地図なども表示される。
【００３７】
図１０はキーワードの属性に対する感性表現とその肯定、否定の度合いを階層グラフ構造で表現した感性表現オントロジ９０１を示している。感性表現オントロジ９０１を用いて、コンテンツ内でのキーワードに対する評判情報をスコア算出に利用する構成も考えられる。良い評判情報を持つキーワードは行動を喚起する可能性も高いと考えられるため、より有用なコンテンツの提示が可能となる。例えば図４の履歴において、「美味」と良い評判情報を持つ「クリスピードーナツ」はスコアを高くし、「イマイチ」と悪い評判情報を持つ「バッドピザ」はスコアが低くなる。このオントロジは行動オントロジ格納部に格納されている。
【００３８】
行動別スコア算出部１４０において、キーワードの時事的なポジティブ、ネガティブ情報をスコア算出に利用する構成も考えられる、特にネガティブなニュースに関連するキーワードは，次の行動として実行する可能性は低いと考えられるため、そのようなコンテンツを抑制した提示が可能となる。例えば、図１１に示すような最近のニュース９０１があった場合に、事件の起こった「秋葉原」に対する行動や、偽装疑惑のある「○○牛」に対する行動は避けられる場合が多いと考えられ、提示されてもユーザにとってのメリットは少ないと考えられる。そのため例えば「殺傷」「偽装」などのネガティブな意味を持つキーワードと共起する「秋葉原」や「○○牛」に対して、その共起頻度に応じて負のスコアを与えることで、提示を抑制することができる。また逆にポジティブな意味を持つキーワードと共起するものについては積極的に提示することもできる．例えば「五輪出場」と共起する「男子バレー」については正のスコアを与え、五輪での試合放送などのコンテンツを積極的に提示することもできる。
【００３９】
ここまで図３に示したユーザの閲覧履歴を入力コンテンツとして用いた場合を例として述べてきたが、他のコンテンツを入力として用いることも可能である。例えば図１２に示すように、現在放送されている番組やユーザが録画した番組、インターネット上に公開されたユーザの興味がある動画などの映像コンテンツの集合を用いる場合、ＥＰＧに記載された番組情報や字幕情報や、動画に付与されたタイトル、タグなどのテキスト情報からキーワードを抽出し、同様に図２のステップ２０２において行動ラベルをそれぞれ複数付与する。
【００４０】
次に、映像コンテンツを閲覧している場合の通知トリガ条件を付与することについて説明する。
【００４１】
図２のステップ２０３において通知トリガ条件は付与された例を図１３の６１０に示す。映像コンテンツは現在の状況において最後まで視聴可能かどうかを考慮するため、各コンテンツの再生時間が通知トリガ条件に加味されている。そのため、例えば電車で目的地に到着する５分前に１０分間の映像コンテンツが提示されることが抑制される。従って、条件の上に、映像の再生時間も把握しなければならない。
【００４２】
具体的な例について以下で説明する。
【００４３】
図１４に示しているのはリアルタイムな状況情報を取得して、ユーザの現在の状況を推定する例である。例えばユーザが現在置かれている状況として、日時６／２８（土）１０：１０、現在地  川崎駅、移動状況  電車待ち、予想目的地  立川，次の予定  １３：００に友人と待ち合わせ（立川）などである。
【００４４】
通知トリガ条件と状況情報から提示タイミングを判定する例を図１５に示す。この例では、ユーザの現在の状況と映像の再生時間を考慮して、実行可能性を算出して、提示タイミングを判定する。例えば川崎駅から立川駅へ行って、到着時間は昼ごはんの時間ぐらいの場合、今から立川食堂の予約する行動は一番事項可能性高いと判定する。次に、移動時間の暇をつぶすために、何かを閲覧したがるかもしれないので、お笑いＬＩＶE という映像を再生する可能性が高いと判定する。そして図１示すような状況７０２においては「立川食堂」を「予約する」行動が最も実行可能性が高く、ステップ２０６において通知トリガ条件に適合すると判定される、次に、通知トリガ条件に適合するコンテンツを提示することについて説明する。
【００４５】
通知トリガ条件に適合したため，「予約する」という行動を喚起するコンテンツである「立川のタウン情報」の映像が図１６のように提示される、同時に例えば施設情報データベースを参照して、電話番号や地図、クーポンなどの店舗情報が８１３のように提示される。        
［第２の実施形態］
図１７では、本発明の第２の実施形態を示している。
【００４６】
図１７には、本実施形態では、通知トリガ条件付与サーバ１０１と情報提示クライアント１０２に分けた。情報提示クライアント１０２は、例えばＰｅｒｓｏｎａｌ  Ｄｉｇｉｔａｌ  Ａｓｓｉｓｔａｎｔ（ＰＤＡ）やスマートフォン（Ｓｍａｒｔｐｈｏｎｅ）などの通信機能を搭載されている機器を用いることができる。通知トリガ条件付与サーバ１０１は、コンテンツ格納部１１０と、行動オントロジ格納部１２０と、行動ラベル付与部１３０と、行動別スコア算出部１４０と、通知トリガ条件付与部１５０と、アンテナ１３と、通信処理部１４とデータ送受信部１０３とを備える。該サーバとネットワークで接続された端末１０２上に通知トリガ条件格納部１６０と、状況情報取得部１７０と、提示タイミング判定部１８０と、データ送受信部１０４と、ディスプレイ１１と、操作部１２と、センサー処理部１５と、状況センサー１６を備え、通知条件を満たしたときにコンテンツをサーバから受信する構成も考えられる。
【００４７】
この実施形態では、ユーザは情報提示クライアント１０２を用いて、ネットワークに通して、通知トリガ条件付与サーバ１０１に接続する。情報提示クライアント１０２はユーザの現在の状況を把握して、ユーザの現在の状況と通知トリガ条件の次情報を通知トリガ条件付与サーバ１０１に転送する。通知トリガ条件付与サーバ１０１はこの情報を用いて、コンテンツ格納部１１０から情報を探して、算出された行動別スコアによって、行動ラベルを付与する。そして、通知トリガ条件付与部１０１は行動ラベルが付与された実行可能な行動を情報提示クライアント１０２に送信する。情報提示クライアント１０２は、実行可能な行動を用いて、提示タイミング判定部１８０で提示タイミングを判定して、ディスプレイ１１に提示する。
【００４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４９】
【図１】第１の実施形態に係る情報提示装置を示す機能ブロック図。
【図２】図１に示した情報提示装置の構成における、全体の処理フローを説明するための図。
【図３】第１の実施形態の閲覧履歴の例を示す図。
【図４】第１の実施形態に係るキ−ワードに対する行動ラベル付与を示す図。
【図５】第１の実施形態に係るスコア算出する例を示す図。
【図６】第１の実施形態に係る通知トリガ条件と加味する要素の一例を示す図。
【図７】第１の実施形態に係るリアルタイムな状況情報の一例を示す図。
【図８】第１の実施形態に係る通知トリガ条件と状況情報から提示タイミングを判定する一例を示す図。
【図９】第１の実施形態に係る通知トリガ条件に適合するコンテンツを提示する一例を示す図。
【図１０】第１の実施形態に係るキーワードオントロジを示す図。
【図１１】第１の実施形態に係るニュースのポジティブとネガティブのスコア算出例を示す図。
【図１２】第１の実施形態に係る閲覧される映像コンテンツを示す図。
【図１３】第１の実施形態に係る通知トリガ条件を付与する一例を示す図。
【図１４】第１の実施形態に係るリアルタイムな状況情報の一例を示す図。
【図１５】第１の実施形態に係る通知トリガ条件と状況情報から提示タイミングを判定する一例を示す図。
【図１６】第１の実施形態に係る通知トリガ条件に適合するコンテンツを提示する一例を示す図。
【図１７】第２の実施形態に係る情報提示装置を示す機能ブロック図。
【符号の説明】
【００５０】
１０    情報提示装置
１１    ディスプレイ
１２    操作部
１３    アンテナ
１４    通信処理部
１５    状況センサー
１６    センサー処理部
１１０  コンテンツ格納部
１２０  行動オントロジ格納部
１３０  行動ラベル付与部
１４０  行動別スコア算出部
１５０  通知トリガ条件付与部
１６０  通知トリガ条件格納部
１７０  状況推定部
１８０  提示タイミング判定部
１９０  スケジュール格納部
【図１】
2010152679.tif 000003
【図２】
2010152679.tif 000004
【図３】
2010152679.tif 000005
【図４】
2010152679.tif 000006
【図５】
2010152679.tif 000007
【図６】
2010152679.tif 000008
【図７】
2010152679.tif 000009
【図８】
2010152679.tif 000010
【図９】
2010152679.tif 000011
【図１０】
2010152679.tif 000012
【図１１】
2010152679.tif 000013
【図１２】
2010152679.tif 000014
【図１３】
2010152679.tif 000015
【図１４】
2010152679.tif 000016
【図１５】
2010152679.tif 000017
【図１６】
2010152679.tif 000018
【図１７】
2010152679.tif 000019